(57)【要約】【課題】照明器具への給電路を開閉する照明制御スイッチにおいて、リモコンにより制御される照明器具の各種状態に拘らず、操作ハンドルを１回操作すれば、消灯／点灯中の照明器具を点灯／消灯させ、点灯／消灯操作を簡単なものとする。【解決手段】照明制御スイッチ３は、操作ハンドル３２と、リモコン４によりオン／オフ状態に設定され得る照明器具２への給電路を開閉する開閉部３３と、制御部３４とを備える。制御部３４は、操作ハンドル３２への操作時に、検知部３５により照明器具２の状態を検知し、その検知結果と開閉部３３の開閉状態とに基づいて、開閉部３３を開閉制御すると共に、切替部３６により照明器具２の状態を切り替える。従って、照明器具２の各種状態に拘らず、操作ハンドル３２を１回操作することにより、消灯／点灯中の照明器具２を点灯／消灯することができる。【選択図】図２
2011003405.tif 000002
【特許請求の範囲】
【請求項１】
造営面に配設される器体と、
前記器体に設けられる操作ハンドルと、
前記器体に収容され、リモコンにより遠隔制御されてオン／オフ状態とされ得る照明器具への給電路を開閉する開閉部と、
前記操作ハンドルへの操作に基づき、前記開閉部を開閉制御する制御部とを備えた照明制御スイッチにおいて、
前記照明器具のオン／オフ状態を検知する検知手段と、
前記照明器具のオン／オフ状態を切り替える切替手段とをさらに備え、
前記制御部は、前記操作ハンドルが操作されたとき、
前記開閉部が開状態であり、かつ、前記検知手段が前記照明器具をオフ状態と検知した場合には、開閉部を閉状態にすると共に、前記切替手段により照明器具をオン状態に切り替え、
前記開閉部が開状態であり、かつ、前記検知手段が前記照明器具をオン状態と検知した場合には、開閉部を閉状態にすると共に、前記切替手段により照明器具にオン状態を継続させ、
前記開閉部が閉状態であり、かつ、前記検知手段が前記照明器具をオフ状態と検知した場合には、開閉部に閉状態を継続させると共に、前記切替手段により照明器具をオン状態に切り替え、
前記開閉部が閉状態であり、かつ、前記検知手段が前記照明器具をオン状態と検知した場合には、開閉部を開状態にすると共に前記切替手段により照明器具をオン／オフ状態に切り替え、若しくは開閉部に閉状態を継続させたまま前記切替手段により照明器具をオフ状態に切り替えることを特徴とする照明制御スイッチ。
【請求項２】
前記検知手段は、前記照明器具への給電路に流れる電流を検知する電流センサにより構成されていることを特徴とする請求項１に記載の照明制御スイッチ。
【請求項３】
前記検知手段は、前記照明器具による照明光の照度を検知する照度センサにより構成されていることを特徴とする請求項１に記載の照明制御スイッチ。
【請求項４】
前記検知手段は、前記リモコンから無線送信され前記照明器具にオン／オフ状態への遷移を指示する制御信号を受信するリモコン受信部により構成されていることを特徴とする請求項1に記載の照明制御スイッチ。
【請求項５】
前記照明器具は、前記開閉部の状態が所定時間内に２回遷移したときに該照明器具の各種状態を切り替えるように構成されており、
前記切替手段は、前記操作ハンドルの１回の操作に応じて前記開閉部の状態を所定時間内に２回遷移させる機能を有することを特徴とする請求項１乃至請求項４のいずれか一項に記載の照明制御スイッチ。
【請求項６】
前記切替手段は、前記リモコンから無線送信される制御信号と同じ通信方式の制御信号を前記照明器具に無線送信する信号送信部であることを特徴とする請求項１乃至請求項４のいずれか一項に記載の照明制御スイッチ。
【請求項７】
前記器体とは別体であり、ユーザ操作又は所定の検知信号に基づいて操作信号を無線送信する子器と、
前記子器から無線送信された操作信号を受信する子器受信部とをさらに備え、
前記制御部は、前記子器受信部により受信された操作信号に基づいて前記開閉部を開閉制御することを特徴とする請求項１乃至請求項６のいずれか一項に記載の照明制御スイッチ。
【発明の詳細な説明】
【技術分野】
【０００１】
本発明は、壁面等の造営面に配設され、操作ハンドルの操作に基づいて照明器具への給電路を開閉する照明制御スイッチに関する。
【背景技術】
【０００２】
従来から、壁面等に取り付けられた照明制御スイッチ（以下、スイッチという）と、携帯可能なリモートコントローラ（以下、リモコンという）のいずれかを操作することにより照明器具を点灯又は消灯することが可能な照明システムが知られている。上述のスイッチは、押下げ操作される操作ハンドルを有し、この操作ハンドルへの操作に応じて照明器具への給電路を開閉し、これにより電流を供給又は遮断する。リモコンは、操作に応じて制御信号を給電状態にある照明器具に無線送信し、照明器具をオン状態又はオフ状態とする。
【０００３】
上記の照明システムにおいて、スイッチが閉状態であり、かつ、照明器具がオン状態である場合に照明器具が点灯する。それ以外の場合、具体的には、スイッチが閉状態で、かつ、照明器具がオフ状態の場合と、スイッチが開状態で、かつ、照明器具がオン状態の場合と、スイッチが開状態で、かつ、照明器具がオフ状態の場合とには、照明器具は消灯する。
【０００４】
しかしながら、照明器具を消灯状態から点灯状態に切り替える際に操作に手間取る虞がある。例えば、スイッチが開状態であり、かつ、照明器具がオフ状態であった場合、スイッチの操作ハンドルを操作して閉状態としても、照明器具はオフ状態なので消灯したままである。そのため、ユーザはさらにリモコンを操作する必要が生じ、点灯操作が煩雑になる。
【先行技術文献】
【特許文献】
【０００５】
【特許文献１】特開平１１−０２５８２２号公報
【発明の概要】
【発明が解決しようとする課題】
【０００６】
本発明は、上記の従来の問題を解決するためになされたものであり、照明器具への給電路を開閉する照明制御スイッチにおいて、リモコンによって制御された照明器具の各種状態に拘らず、操作ハンドルを１回操作すれば、消灯／点灯中の照明器具を点灯／消灯させることができ、点灯／消灯操作が簡単となる照明制御スイッチを提供することを目的とする。
【課題を解決するための手段】
【０００７】
上記目的を達成するために請求項１の発明は、造営面に配設される器体と、前記器体に設けられる操作ハンドルと、前記器体に収容され、リモコンにより遠隔制御されてオン／オフ状態とされ得る照明器具への給電路を開閉する開閉部と、前記操作ハンドルへの操作に基づき、前記開閉部を開閉制御する制御部とを備えた照明制御スイッチにおいて、前記照明器具のオン／オフ状態を検知する検知手段と、前記照明器具のオン／オフ状態を切り替える切替手段とをさらに備え、前記制御部は、前記操作ハンドルが操作されたとき、前記開閉部が開状態であり、かつ、前記検知手段が前記照明器具をオフ状態と検知した場合には、開閉部を閉状態にすると共に、前記切替手段により照明器具をオン状態に切り替え、前記開閉部が開状態であり、かつ、前記検知手段が前記照明器具をオン状態と検知した場合には、開閉部を閉状態にすると共に、前記切替手段により照明器具にオン状態を継続させ、前記開閉部が閉状態であり、かつ、前記検知手段が前記照明器具をオフ状態と検知した場合には、開閉部に閉状態を継続させると共に、前記切替手段により照明器具をオン状態に切り替え、前記開閉部が閉状態であり、かつ、前記検知手段が前記照明器具をオン状態と検知した場合には、開閉部を開状態にすると共に前記切替手段により照明器具をオン／オフ状態に切り替え、若しくは開閉部に閉状態を継続させたまま前記切替手段により照明器具をオフ状態に切り替えるものである。
【０００８】
請求項２の発明は、請求項１に記載の照明制御スイッチにおいて、前記検知手段は、前記照明器具への給電路に流れる電流を検知する電流センサにより構成されているものである。
【０００９】
請求項３の発明は、請求項１に記載の照明制御スイッチにおいて、前記検知手段は、前記照明器具による照明光の照度を検知する照度センサにより構成されているものである。
【００１０】
請求項４の発明は、請求項１に記載の照明制御スイッチにおいて、前記検知手段は、前記リモコンから無線送信され前記照明器具にオン／オフ状態への遷移を指示する制御信号を受信するリモコン受信部により構成されているものである。
【００１１】
請求項５の発明は、請求項１乃至請求項４のいずれか一項に記載の照明制御スイッチにおいて、前記照明器具は、前記開閉部の状態が所定時間内に２回遷移したときに該照明器具の各種状態を切り替えるように構成されており、前記切替手段は、前記操作ハンドルの１回の操作に応じて前記開閉部の状態を所定時間内に２回遷移させる機能を有するものである。
【００１２】
請求項６の発明は、請求項１乃至請求項４のいずれか一項に記載の照明制御スイッチにおいて、前記切替手段は、前記リモコンから無線送信される制御信号と同じ通信方式の制御信号を前記照明器具に無線送信する信号送信部である。
【００１３】
請求項７の発明は、請求項１乃至請求項６のいずれか一項に記載の照明制御スイッチにおいて、前記器体とは別体であり、ユーザ操作又は所定の検知信号に基づいて操作信号を無線送信する子器と、前記子器から無線送信された操作信号を受信する子器受信部とをさらに備え、前記制御部は、前記子器受信部により受信された操作信号に基づいて前記開閉部を開閉制御するものである。
【発明の効果】
【００１４】
本発明によれば、操作ハンドルが操作されたときに、照明器具への給電路を開閉する開閉部が開状態であり、又は照明器具がオフ状態とされ、これにより照明器具が消灯していた場合には、開閉部が閉状態とされ、かつ、照明器具がオン状態とされ、これにより照明器具が点灯する。他方、開閉部が閉状態であり、かつ、照明器具がオン状態であり、これにより照明器具が点灯していた場合には、開閉部が開状態又は照明器具がオフ状態とされて照明器具が消灯する。このため、照明器具の各種状態に拘らず、操作ハンドルを１回操作すれば消灯／点灯中の照明器具を点灯／消灯させることができ、点灯／消灯操作が簡単となる。
【図面の簡単な説明】
【００１５】
【図１】（ａ）は本発明の一実施形態に係る照明制御スイッチを備えた照明システムの斜視図、（ｂ）はその配線図。
【図２】上記システムの電気的ブロック図。
【図３】上記スイッチの操作ハンドルを操作したときの当該スイッチと照明器具の状態遷移を示す図。
【図４】上記スイッチの制御部による照明器具の点灯又は消灯制御のフローチャート。
【図５】本発明の他の構成例に係る照明制御スイッチを備えた照明システムの電気的ブロック図。
【図６】上記スイッチの操作ハンドルを操作したときの当該スイッチと照明器具の状態遷移を示す図。
【図７】本発明のさらに他の構成例に係る照明制御スイッチを備えた照明システムの電気的ブロック図。
【図８】上記スイッチの操作ハンドルを操作したときの当該スイッチと照明器具の状態遷移を示す図。
【図９】本発明のさらに他の構成例に係る照明制御スイッチを備えた照明システムの電気的ブロック図。
【図１０】本発明のさらに他の構成例に係る照明制御スイッチを備えた照明システムの電気的ブロック図。
【図１１】上記スイッチの操作ハンドルを操作したときの当該スイッチと照明器具の状態遷移を示す図。
【図１２】本発明のさらに他の構成例に係る照明制御スイッチを備えた照明システムの電気的ブロック図。
【図１３】本発明のさらに他の構成例に係る照明制御スイッチを備えた照明システムの電気的ブロック図。
【発明を実施するための形態】
【００１６】
以下、本発明の一実施形態に係る照明制御スイッチについて図面を参照して説明する。図１（ａ）（ｂ）は、本実施形態に係る照明制御スイッチを備えた照明システムの構成を示す。この照明システム１は、照明器具２と、ユーザＵ１の操作に基づいて照明器具２を点灯又は消灯制御する照明制御スイッチ（以下、スイッチ）３及びリモートコントローラ（以下、リモコン）４とを備える。照明器具２は天井Ｃ１に取り付けられ、スイッチ３は壁面Ｗ１等の造営面に取り付けられている。リモコン４はユーザＵ１が携帯可能な構成である。
【００１７】
スイッチ３は、造営面に配設された器体３１と、器体３１の前面に設けられた１個の操作ハンドル３２と、器体３１に収容されており、操作ハンドル３２の操作に基づいて、商用交流電源（以下、電源）Ｐ１から照明器具２への給電路を開閉する開閉部（図示せず）とを備える。操作ハンドル３２はユーザＵ１が押下げ操作を１回行う毎に開閉部を開状態から閉状態へ、又は閉状態から開状態へ切り替え可能な構成とする。開閉部は給電路の開閉により、照明器具４への電流供給を遮断し、又は照明器具４へ通電する。
【００１８】
リモコン４は、操作ボタン４１を有し、操作ボタン４１への操作に基づき、制御信号を赤外線に重畳して照明器具２へ無線送信し、照明器具２を遠隔制御する。赤外線の替わりとして可視光又は電波等を用いてもよい。上記制御信号は照明器具２にオン／オフ状態への遷移を指示する信号である。照明器具２はこの信号に基づいてオン／オフ状態となる。照明器具２は、開閉部が閉状態であり、かつ、当該器具がオン状態であるときに点灯し、その他のときには消灯する。そして、消灯状態でスイッチ３が１回押下げ操作されると、スイッチ３は開閉部及び照明器具２を制御して照明器具２を点灯させる。スイッチ３は照明器具２の点灯中に１回押下げ操作されると、照明器具２を消灯させる。
【００１９】
図２は、照明システム１の電気的構成を示す。照明器具２は、照明負荷２１と、リモコン４から無線送信された制御信号を受信可能な受信回路により構成されるリモコン受信部２２と、リモコン受信回路２２により受信された制御信号に基づいて照明負荷２１を点灯制御する照明制御部２３とを有する。照明制御部２３は電源Ｐ１から給電されるマイクロプロセッサ等により構成され、上記制御信号に基づいてオン／オフ状態となる。照明制御部２３は、オン状態で電源Ｐ１からの電力を照明負荷２１に供給して照明負荷２１を点灯させ、オフ状態でその電力を遮断して照明負荷２１を消灯させる。照明制御部２３はスイッチ３とも通信可能とする。
【００２０】
スイッチ３は、上述の開閉部３３と、開閉部３３を開閉制御する制御部３４とを有し、さらに、照明器具２の照明制御部２３のオン／オフ状態を検知する検知部３５（検知手段）と、照明制御部２３のオン／オフ状態を切り替える切替部３６（切替手段）とを備える。制御部３４は、操作ハンドル３２への操作と、その操作時の開閉部３３の開閉状態及び検知部３５による検知結果とに基づいて、開閉部３３を開閉制御すると共に、切替部３６を用いて照明制御部２３の状態を制御する。
【００２１】
検知部３５は照明制御部２３に対して状態通知信号の送信を指示する信号を送出し、この信号に応答して照明制御部２３が送信する状態通知信号を受信し、これにより状態検知を行う。検知部３５は照明制御部２３に対して状態通知を指示する信号を送出せず、照明制御部２３から連続的又は定期的に自動送信される状態通知信号を受信し、これにより状態検知を行ってもよい。切替部３６は照明制御部２３に対して状態遷移を指示する制御信号を送出し、これにより状態切替を行う。開閉部３３はトライアック等の交流対応型の半導体スイッチング素子により構成できる。制御部３４、検知部３５及び切替部３６は照明制御部２３との通信機能を有する共通のマイクロプロセッサにより構成されていても、又はそれぞれ別体のマイクロプロセッサにより構成されていてもよい。検知部３５と照明制御部２３との間、及び切替部３６と照明制御部２３との間は、それぞれ、専用の通信線等により結ばれていても、又は、開閉部３３と照明制御部２３とを結ぶ給電線が通信線として利用され、給電線を介して信号が授受されていてもよい。
【００２２】
図３は、操作ハンドル３２が操作されたときのスイッチ３及び照明器具２の状態遷移を示し、図４は、スイッチ３の制御部３４による上記状態遷移の制御処理の手順を示す。
【００２３】
操作ハンドル３２が操作されて操作信号が入力されたとき（Ｓ１でＹｅｓ）、開閉部３３が開状態である場合には（Ｓ２でＹｅｓ）、照明器具２は消灯中であることから、開閉部３３が閉状態とされ（Ｓ３）、通電される。そして、照明器具２が検知部３５によりオフ状態と検知された場合には（Ｓ４でＮｏ）、切替部３６から照明制御部２３にオン状態への遷移が指示される（Ｓ５）。このようにして、照明器具２が点灯される（図３の１行目の欄を参照）。
【００２４】
上記検知の結果、照明器具２がオン状態であった場合には（Ｓ４でＹｅｓ）、現状、すなわち、開閉部３３が閉じられ、かつ、照明器具２がオンである状態が継続され、照明器具２が点灯した状態が維持される（図３の２行目の欄を参照）。操作ハンドル３２が操作されない間、制御部３４は待機状態にある（Ｓ１でＮｏ）。
【００２５】
操作ハンドル３２が操作されたときに開閉部３３が閉状態であり（Ｓ２でＮｏ）、かつ、照明器具２が検知部３５によりオフ状態と検知された場合には（Ｓ６でＮｏ）、照明器具２は消灯中であることから、開閉部３３は閉状態のままとして、切替部３６から照明制御部２３にオン状態への遷移が指示される（Ｓ７）。このようにして、照明器具２が点灯される（図３の３行目の欄を参照）。
【００２６】
上記検知の結果、照明器具２がオン状態であった場合には（Ｓ６でＹｅｓ）、開閉部３３が開状態とされ（Ｓ８）、照明器具２への電流供給が遮断され、これにより照明器具２は消灯する（図３の４行目の欄を参照）。開閉部３３が開状態で、照明器具２はオン状態のままであっても、オフ状態に切り替えられていてもよい。開閉部３３は閉状態を継続したままで、照明器具２がオフ状態に切り替えられてもよい。
【００２７】
本実施形態のスイッチ３においては、操作ハンドル３２が操作されたときに、開閉部３３が開状態又は照明器具２がオフ状態であり、これにより照明器具２が消灯していた場合には、開閉部３３が閉状態とされ、かつ、照明器具２がオン状態とされ、これにより照明器具２が点灯する。他方、開閉部３３が閉状態であり、かつ、照明器具２がオン状態であり、これにより照明器具２が点灯していた場合には、開閉部３３が開状態又は照明器具２がオフ状態とされて照明器具２が消灯する。このため、照明器具２の各種状態に拘らず、操作ハンドル３２を１回操作すれば消灯／点灯中の照明器具２を点灯／消灯させることができ、点灯／消灯操作が簡単となる。
【００２８】
図５は、照明システム１の他の構成例を示す。本構成例のスイッチ３の検知部３５は、図２に示す構成例における検知部３５のマイクロプロセッサの替わりとして、照明器具２への給電路に流れる交流電流を検知する電流センサ３５ａにより構成されている。スイッチ３の制御部３４は給電路の一配線の交流電圧を整流する整流回路を有し、この整流回路により整流して得た駆動電圧により動作する。
【００２９】
図６は、図５に示す構成例における操作ハンドル３２が操作されたときのスイッチ３及び照明器具２の状態遷移を示す。ここで、各状態において電流センサ３５ａにより検知される電流量について説明する。開閉部３３が開状態である場合には、照明器具２のオン・オフ状態に拘らず、スイッチ３の制御部３４を駆動するための微小電流が流れる。開閉部３３が閉状態であり、かつ、照明器具２がオフ状態である場合には、上述の微小電流よりも多い小電流が流れる。この小電流はリモコン受信部２２により信号を受信できるように照明制御部２３を駆動するのに必要な駆動電流に上述の微小電流を足して得られる電流である。開閉部３３が閉状態であり、かつ、照明器具２がオン状態の場合には、大電流が流れる。この大電流は照明負荷２１を点灯駆動するのに必要な駆動電流に上述の小電流を足して得られる電流である。
【００３０】
電流センサ３５ａは、上述のように各状態で異なる電流量を検知し、その検知結果に基づいて制御部３４が照明器具２の現在のオン／オフ状態を検知する。このようにして、電流センサ３５ａ及び制御部３４は検知手段を構成する。ただし、開閉部３３が開状態の場合、照明器具２のオン・オフ状態に拘らず、電流量が略同じとなるので、状態検知は困難である。そのため、制御部３４は、この場合、開閉部３３を閉じ、その後、小電流が検知された場合には照明器具２はオフ状態と判断し、大電流が検知された場合にはオン状態と判断する。制御部３４は、検知された照明器具２のオン／オフ状態と、開閉部３３の開閉状態とに基づき、図４に示す処理と同様の処理手順で、開閉部３３の開閉制御と照明制御部２３の状態制御を行う。
【００３１】
図７は、照明システム１のさらに他の構成例を示す。本構成例のスイッチ３の検知部３５は、図２に示す構成例における検知部３５のマイクロプロセッサの替わりとして、照明器具２による照明光の照度を検知する照度センサ３５ｂにより構成されている。照度センサ３５ｂは、器体３１前面の照明器具２からの受光が可能な部位に配置されている。
【００３２】
図８は、図７に示す構成例における操作ハンドル３２が操作されたときのスイッチ３及び照明器具２の状態遷移を示す。制御部３４は、照度センサ３５ｂの周囲が暗く、照度センサ３５ｂによる検知照度が所定値未満の場合、照明器具２はオフ状態と検知し、他方、照度センサ３５ｂの周囲が明るく、照度センサ３５ｂによる検知照度が所定値以上の場合、照明器具２はオン状態と検知する。このようにして、制御部３４及び照度センサ３５ｂは検知手段を構成する。
【００３３】
ただし、照明器具２がオン状態であっても、開閉部３３が開状態であれば、照明器具２は消灯するので、オフ状態と検知されてしまう。しかしながら、オン状態の照明器具２をオフ状態と検知して、照明器具２に対してオン状態への遷移を指示する制御信号を送ったとしても問題はない。制御部３４は、図４に示す処理と同様の処理手順で、開閉部３３の開閉状態と照明器具２のオン／オフ状態とを制御する。
【００３４】
図９は、照明システム１のさらに他の構成例を示す。本構成例のスイッチ３の検知部３５は、図２に示す構成例における検知部３５のマイクロプロセッサの替わりとして、リモコン４から無線送信される制御信号を受信するリモコン受信部３５ｃにより構成されている。リモコン受信部３５ｃは上記制御信号と同じ通信方式の信号を受信可能な無線受信回路を含み、受信アンテナが器体３１前面に配設されている。
【００３５】
図１０は、照明システム１のさらに他の構成例を示す。一般的なインバータを用いた照明器具２の照明制御部２３は、所定時間内に操作ハンドル３２が２回、押下げ操作され、これにより、開閉部３３の状態が２回遷移したとき、例えば閉→開→閉と遷移したとき、照明器具２の全灯状態（オン状態）、調光状態、オフ状態を切り替えるように構成されている。全灯状態は光出力が定格最大出力の点灯状態であり、調光状態は調光制御された点灯状態である。上述の押下げ操作を繰り返すことにより、全灯状態、調光状態、オフ状態が順次切り替わる。照明制御部２３の上記３種の状態はリモコン４によっても設定可能とする。調光状態には主光源が光量を落とした状態、又は豆電球等の補助光源のみが点灯した状態等を含む。
【００３６】
検知部３５は上記のいずれの構成を有していてもよい。図２に示す構成例の場合は照明制御部２３からの状態通知信号に基づいて、図５に示す構成例の場合は照明器具２への給電路の電流量に基づいて、図７に示す構成例の場合はセンサ周囲の明るさに基づいて、制御部３４は照明器具２の３種の状態を検知する。制御部３４はその検知結果を切替部３６に通知する。
【００３７】
切替部３６は、開閉部３３と照明器具２とが所定の状態にあるとき、操作ハンドル３２の１回の操作に応じて開閉部３３の状態を所定時間内に２回遷移させる機能を有する。ここで、開閉部３３におけるこの状態遷移動作をワンツー動作という。切替部３６は開閉部３３にワンツー動作を行わせるように指示する制御信号を制御部３４に送出し、制御部３４はこの制御信号に基づき開閉部３３を制御する。
【００３８】
図１１は、図１０に示す構成例における操作ハンドル３２の操作に応じて制御部３４により制御された開閉部３３及び照明器具２の状態遷移を示す。操作ハンドル３２が操作され、そのときに開閉部３３が開状態であった場合、照明器具２は消灯中であることから、開閉部３３は閉状態とされ、通電される。そして、検知部３５が照明器具２をオフ状態と検知した場合には、開閉部３３が切替部３６により制御されてワンツー動作し、照明器具２は全灯状態となり、全灯する（図中１行目の欄参照）。開閉部３３によりワンツー動作が２回繰り返されて、照明器具２が調光状態とされ、調光点灯してもよい。上述の照明器具２の状態検知の結果、照明器具２が調光又は全灯状態であった場合には、その状態が維持され、照明器具２は全灯又は調光点灯する（２、３行目の欄参照）。
【００３９】
操作ハンドル３２が操作されたときに開閉部３３が閉状態であり、かつ、照明器具２が検知部３５によりオフ状態と検知された場合には、照明器具２は消灯中であることから、開閉部３３が切替部３６により制御されてワンツー動作し、照明器具２は全灯状態となり、全灯する（４行目の欄参照）。ワンツー動作が２回繰り返され、照明器具２が調光状態とされ、調光点灯してもよい。
【００４０】
照明器具２が調光又は全灯状態であった場合には、開閉部３３が開状態とされ、照明器具２への電流供給が遮断され、これにより照明器具２は消灯する（５、６行目の欄参照）。照明器具２の状態は元のままであっても、又は開閉部３３のワンツー動作により他の状態に遷移されても構わない。開閉部３３は閉状態を継続したままで、開閉部３３の１回又は２回のワンツー動作により、照明器具２がオフ状態に切り替えられてもよい。
【００４１】
図１２は、照明システム１のさらに他の構成例を示す。本構成例のスイッチ３の切替部３６は、リモコン４から無線送信される制御信号と同じ通信方式の制御信号を照明器具２に無線送信する信号送信部３６ａである。信号送信部３６ａは制御部３４により駆動制御される無線送信回路により構成される。無線送信される制御信号には照明器具２にオン／オフ状態への遷移を指示する制御信号が含まれる。照明器具２の照明制御部２３は、信号送信部３６ａからの制御信号をリモコン受信部２２により受信し、その制御信号に基づいて状態が遷移する。
【００４２】
本構成例においては、切替部３６から照明器具に制御信号を送るための配線などが不要なので、設置場所の自由度が高くなる。
【００４３】
図１３は、照明システム１のさらに他の構成例を示す。本構成例のスイッチ３は、器体３１（図１参照）とは別体であり、ユーザの操作又は所定の検知信号等に基づいて操作信号を無線送信する子器３７と、子器３７から無線送信された操作信号を受信する受信回路により構成される子器受信部３８とをさらに備える。子器３７はユーザにより操作される操作ボタン等を有していても、又は人体検知センサを具備していてもよい。人体検知センサが具備される場合、当該センサは人体の存在を検知したときに上述の検知信号を送出し、この検知信号に基づいて操作信号が自動的に無線送信される。本構成例の制御部３４は、子器受信部３８により受信された操作信号又は操作ハンドル３２の操作と、操作信号の受信時又は操作ハンドル３２操作時の開閉部３３の開閉状態及び検知部３５による検知結果とに基づいて開閉部を開閉制御する。
【００４４】
本構成例においては、壁面Ｗ１まで近づいて操作ハンドル３２を操作しなくても、子器３７を用いて自由な位置で操作することができるので、操作が楽になる。
【００４５】
なお、本発明は、上記実施形態及び各種構成例の構成に限定されるものでなく、使用目的に応じ、様々な変形が可能である。例えば、スイッチ３は、図１２に示す構成例と、図２、図５、図７又は図９に示す構成例とが組み合わされた構成を有していてもよい。また、スイッチ３の構成は、図１３に示す構成例と、図２、図５、図７、図９、図１０又は図１２に示す構成例とを組み合わせたものであってもよい。
【符号の説明】
【００４６】
２  照明器具
３  照明制御スイッチ
３１  器体
３２  操作ハンドル
３３  開閉部
３４  制御部
３５  検知部（検知手段）
３５ａ  電流センサ
３５ｂ  照度センサ
３５ｃ  リモコン受信部
３６  切替部（切替手段）
３６ａ  信号送信部
３７  子器
３８  子器受信部
４  リモコン
Ｗ１  壁面（造営面）
【図１】
2011003405.tif 000003
【図２】
2011003405.tif 000004
【図３】
2011003405.tif 000005
【図４】
2011003405.tif 000006
【図５】
2011003405.tif 000007
【図６】
2011003405.tif 000008
【図７】
2011003405.tif 000009
【図８】
2011003405.tif 000010
【図９】
2011003405.tif 000011
【図１０】
2011003405.tif 000012
【図１１】
2011003405.tif 000013
【図１２】
2011003405.tif 000014
【図１３】
2011003405.tif 000015